(57)【要約】【課題】可動レンズのストッパが固定側のストッパに当接するときの衝撃に対して、可動レンズが十分に耐える必要がある。【解決手段】この発明は、半導体型光源２と、レンズ３と、光制御部材４と、を備える。光制御部材４には、光制御部材４を第１位置と第２位置とに位置させるストッパ４４が設けられている。光制御部材４は、レンズ３と比較して、衝撃強さが大きい材料から構成されている。この結果、この発明は、光制御部材４のストッパ４４が固定側のストッパ７３に当接するときの衝撃に対して、光制御部材４が十分に耐えることができる。【選択図】        図１
2014229353.tif 000002
【特許請求の範囲】
【請求項１】
半導体型光源と、可動レンズと、固定レンズと、を備え、
前記可動レンズには、前記可動レンズを所定の位置に位置させるために、固定側のストッパに当接するストッパが設けられていて、
前記可動レンズは、前記固定レンズよりも、衝撃強さが大きい材料から構成されている、
ことを特徴とする車両用前照灯。
【請求項２】
前記可動レンズは、前記固定レンズよりも、前記半導体型光源の近くに配置されていて、
前記可動レンズは、前記固定レンズよりも、耐熱性が高い材料から構成されている、
ことを特徴とする請求項１に記載の車両用前照灯。
【請求項３】
前記可動レンズは、前記固定レンズよりも、前記半導体型光源の近くに配置されていて、
前記可動レンズは、前記固定レンズよりも、屈折率が高い材料から構成されている、
ことを特徴とする請求項１に記載の車両用前照灯。
【請求項４】
前記可動レンズは、前記固定レンズよりも、前記半導体型光源の近くに配置されていて、
前記可動レンズは、前記固定レンズよりも、耐候性が低い材料から構成されている、
ことを特徴とする請求項１に記載の車両用前照灯。
【請求項５】
前記可動レンズは、軸受部材に回転可能に取り付けられていて、
前記可動レンズは、前記固定レンズよりも、弾性が大きい材料から構成されている、
ことを特徴とする請求項１に記載の車両用前照灯。
【請求項６】
前記可動レンズは、レンズ部と、取付部と、を備え、
前記レンズ部と前記取付部とは、一体構造をなし、
少なくとも前記レンズ部は、光透過部材から構成されている、
ことを特徴とする請求項１〜５のいずれか１項に記載の車両用前照灯。
【発明の詳細な説明】
【技術分野】
【０００１】
この発明は、可動レンズと固定レンズとを備える車両用前照灯に関するものである。
【背景技術】
【０００２】
この種の車両用前照灯は、従来からある（たとえば、特許文献１）。以下、従来の車両用前照灯について説明する。
【０００３】
従来の車両用前照灯は、半導体型光源と、可動レンズと、固定レンズと、を備えるものである。従来の車両用前照灯は、可動レンズを可動させることにより、２つの異なる配光パターンが得られる。
【先行技術文献】
【特許文献】
【０００４】
【特許文献１】特開２０１０−１５３１８１号公報
【発明の概要】
【発明が解決しようとする課題】
【０００５】
かかる車両用前照灯においては、可動レンズを所定の位置に位置させるために、固定側のストッパに当接するストッパを設ける場合がある。この場合においては、可動レンズのストッパが固定側のストッパに当接するときの衝撃に対して、可動レンズが十分に耐える必要がある。
【０００６】
この発明が解決しようとする課題は、可動レンズのストッパが固定側のストッパに当接するときの衝撃に対して、可動レンズが十分に耐える必要がある、という点にある。
【課題を解決するための手段】
【０００７】
この発明（請求項１にかかる発明）は、半導体型光源と、可動レンズと、固定レンズと、を備え、可動レンズには、可動レンズを所定の位置に位置させるために、固定側のストッパに当接するストッパが設けられていて、可動レンズが、固定レンズよりも、衝撃強さが大きい材料から構成されている、ことを特徴とする。
【０００８】
この発明（請求項２にかかる発明）は、可動レンズが、固定レンズよりも、半導体型光源の近くに配置されていて、可動レンズが、固定レンズよりも、耐熱性が高い材料から構成されている、ことを特徴とする。
【０００９】
この発明（請求項３にかかる発明）は、可動レンズが、固定レンズよりも、半導体型光源の近くに配置されていて、可動レンズが、固定レンズよりも、屈折率が高い材料から構成されている、ことを特徴とする。
【００１０】
この発明（請求項４にかかる発明）は、可動レンズが、固定レンズよりも、半導体型光源の近くに配置されていて、可動レンズが、固定レンズよりも、耐候性が低い材料から構成されている、ことを特徴とする。
【００１１】
この発明（請求項５にかかる発明）は、可動レンズが、軸受部材に回転可能に取り付けられていて、可動レンズが、固定レンズよりも、弾性が大きい材料から構成されている、ことを特徴とする。
【００１２】
この発明（請求項６にかかる発明）は、可動レンズが、レンズ部と、取付部と、を備え、レンズ部と取付部とが、一体構造をなし、少なくともレンズ部が、光透過部材から構成されている、ことを特徴とする。
【発明の効果】
【００１３】
この発明の車両用前照灯は、可動レンズが、固定レンズよりも、衝撃強さが大きい材料から構成されているので、可動レンズのストッパが固定側のストッパに当接するときの衝撃に対して、可動レンズが固定レンズと比較して十分に耐えることができる。
【図面の簡単な説明】
【００１４】
【図１】図１は、この発明にかかる車両用前照灯の実施形態を示すランプユニットの主要構成部品の分解斜視図である。
【図２】図２は、ランプユニットを示す斜視図である。
【図３】図３は、ランプユニットを示す正面図である。
【図４】図４は、光制御部材が第１位置に位置しているときの光路を示す説明図（図３におけるＩＶ−ＩＶ線断面図に対応する説明図）である。
【図５】図５は、光制御部材が第２位置に位置しているときの光路を示す説明図（図３におけるＩＶ−ＩＶ線断面図に対応する説明図）である。
【図６】図６は、ロービーム用配光パターン、ハイビーム用配光パターンを示す等照度曲線の説明図である。
【図７】図７は、光制御部材の全体を示す斜視図である。
【図８】図８は、光制御部材の全体を示す正面図である。
【図９】図９は、ＰＣの衝撃強さとＰＭＭＡの衝撃強さとを示す説明図である。
【発明を実施するための形態】
【００１５】
以下、この発明にかかる車両用前照灯の実施形態（実施例）の１例を図面に基づいて詳細に説明する。なお、この実施形態によりこの発明が限定されるものではない。図６は、コンピュータシミュレーションにより作図された路面上の配光パターンを簡略化して示す等照度曲線の説明図である。この等照度曲線の説明図において、中央の等照度曲線は、高照度を示し、外側の等照度曲線は、低照度を示す。数字の単位は、「ｍ」である。また、図４、図５において、レンズおよび光制御部材の断面のハッチングは、省略してある。この明細書において、前、後、上、下、左、右は、この発明にかかる車両用前照灯を車両に搭載した際の前、後、上、下、左、右である。
【００１６】
（実施形態の構成の説明）
以下、この実施形態にかかる車両用前照灯の構成について説明する。図１中、符号１は、この実施形態にかかる車両用前照灯（たとえば、ヘッドランプなど）である。前記車両用前照灯１は、車両Ｃの前部の左右両端部に搭載されている。
【００１７】
（ランプユニットの説明）
前記車両用前照灯１は、図１〜図３に示すように、ランプハウジング（図示せず）と、ランプレンズ（図示せず）と、半導体型光源２と、固定レンズとしてのレンズ３と、可動レンズとしての光制御部材４と、駆動部材５と、レンズカバー部材６と、軸受部材７と、ベース部材８と、冷却部材９と、を備えるものである。
【００１８】
前記半導体型光源２および前記レンズ３および前記光制御部材４および前記駆動部材５および前記レンズカバー部材６および前記軸受部材７および前記ベース部材８および前記冷却部材９は、ランプユニットを構成する。前記ランプハウジングおよび前記ランプレンズは、灯室（図示せず）を画成する。前記ランプユニット２、３、４、５、６、７、８、９は、前記灯室内に配置されていて、かつ、上下方向用光軸調整機構（図示せず）および左右方向用光軸調整機構（図示せず）を介して前記ランプハウジングに取り付けられている。
【００１９】
（半導体型光源２の説明）
前記半導体型光源２は、図１、図４、図５に示すように、この例では、たとえば、ＬＥＤ、ＯＥＬまたはＯＬＥＤ（有機ＥＬ）などの自発光半導体型光源である。前記半導体型光源２は、発光チップ（ＬＥＤチップ）２０と、前記発光チップ２０を封止樹脂部材で封止したパッケージ（ＬＥＤパッケージ）と、前記パッケージを実装した基板２１と、前記基板２１に取り付けられていて前記発光チップ２０に電源（バッテリー）からの電流を供給するコネクタ２２と、から構成されている。なお、図４、図５においては、前記コネクタ２２の図示を省略してある。
【００２０】
前記基板２１は、位置決め孔および位置決めピンなどにより前記ベース部材８の光源取付部８０に位置決めされ、かつ、スクリューなどにより、前記ベース部材８の前記光源取付部８０に取り付けられている。この結果、前記半導体型光源２は、前記ベース部材８に取り付けられている。
【００２１】
前記発光チップ２０は、この例では、平面矩形形状（平面長方形状）をなす。すなわち、４個の正方形のチップをＸ軸方向（水平方向）に配列してなるものである。なお、２個もしくは３個もしくは５個以上の正方形のチップ、あるいは、１個の長方形のチップ、あるいは、１個の正方形のチップ、を使用しても良い。前記発光チップ２０の正面この例では長方形の正面が発光面２３をなす。前記発光面２３は、前記レンズ３の基準光軸（基準軸）Ｚの前側に向いている。前記発光チップ２０の前記発光面２３の中心Ｏは、前記レンズ３の基準焦点Ｆもしくはその近傍に位置し、かつ、前記レンズ３の基準光軸Ｚ上もしくはその近傍に位置する。
【００２２】
図１において、Ｘ、Ｙ、Ｚは、直交座標（Ｘ−Ｙ−Ｚ直交座標系）を構成する。Ｘ軸は、前記発光チップ２０の前記発光面２３の中心Ｏを通る左右方向の水平軸であって、この実施形態において、右側が＋方向であり、左側が−方向である。また、Ｙ軸は、前記発光チップ２０の前記発光面２３の中心Ｏを通る上下方向の鉛直軸であって、この実施形態において、上側が＋方向であり、下側が−方向である。さらに、Ｚ軸は、前記発光チップ２０の前記発光面２３の中心Ｏを通る法線（垂線）、すなわち、前記Ｘ軸および前記Ｙ軸と直交する前後方向の軸であって、この実施形態において、前側が＋方向であり、後側が−方向である。
【００２３】
（レンズ３の説明）
前記レンズ３は、光透過性部材、この例では、ＰＭＭＡ（ポリメタクリル樹脂）から構成されている。前記レンズ３は、図１〜図５に示すように、主レンズ部３０と、補助レンズ部（付加レンズ部）３１と、取付部３２と、から構成されている。前記取付部３２は、前記主レンズ部３０の左右両端部に一体に設けられている。前記取付部３２は、前記レンズカバー部材６を介して位置決め孔および位置決めピンなどにより前記ベース部材８のレンズ取付部８１に位置決めされ、かつ、スクリューなどにより、前記ベース部材８の前記レンズ取付部８１に取り付けられている。この結果、前記レンズ３は、前記レンズカバー部材６を介して前記ベース部材８に取り付けられている。前記取付部３２は、この例では、前記レンズ３と一体構造であるが、前記レンズ３と別体構造であっても良い。
【００２４】
前記レンズ３は、前記半導体型光源２からの光を、図６（Ａ）に示すロービーム用配光パターン（すれ違い用配光パターン）ＬＰ、および、図６（Ｂ）に示すハイビーム用配光パターン（走行用配光パターン）ＨＰとして車両Ｃの前方に照射するものである。前記ロービーム用配光パターンＬＰは、下水平カットオフラインと、斜めカットオフラインと、上水平カットオフラインとを、有する。前記ハイビーム用配光パターンＨＰは、中央部にホットゾーン（高光度帯）を有する。
【００２５】
（主レンズ部３０の説明）
前記主レンズ部３０は、図４、図５に示すように、前記基準光軸Ｚおよび前記基準焦点Ｆを有する。前記主レンズ部３０は、前記半導体型光源２から放射される光のうち、中央光Ｌ１および周辺光の一部を利用するものである。前記中央光Ｌ１は、前記半導体型光源２の半球放射範囲のＸ軸もしくはＹ軸から所定の角度（この例では、約６０°）以上の範囲の光であって、前記主レンズ部３０の中央部に入射する光である。また、前記周辺光は、前記半導体型光源２の半球放射範囲のＸ軸もしくはＹ軸から所定の角度（この例では、約６０°）以下の範囲の光である。前記周辺光の一部は、前記周辺光のうち前記主レンズ部３０の周辺部に入射する光である。前記主レンズ部３０は、この例では、前記半導体型光源２からの光を透過させる透過タイプのレンズ部である。
【００２６】
前記主レンズ部３０は、前記半導体型光源２からの光（前記中央光Ｌ１および前記周辺光の一部）を主配光パターン（基本配光パターン）、この実施形態においては、ロービーム用配光パターンＬＰの主配光パターン、および、ハイビーム用配光パターンＨＰの主配光パターン、として車両Ｃの前方に照射する。すなわち、前記主レンズ部３０は、前記半導体型光源２からの直接入射した光（前記中央光Ｌ１および前記周辺光の一部）を前記ロービーム用配光パターンＬＰの主配光パターンとして車両Ｃの前方に照射し、かつ、前記半導体型光源２から前記光制御部材４を透過した光（前記中央光Ｌ１、および、Ｘ軸方向の前記周辺光の一部）および前記半導体型光源２からの直接入射した光（Ｘ軸方向の前記周辺光の一部を除いた残りの前記周辺光の一部）を前記ハイビーム用配光パターンＨＰの主配光パターンとして車両Ｃの前方に照射する。
【００２７】
前記主レンズ部３０は、前記半導体型光源２からの光が前記主レンズ部３０中に入射する入射面３００と、前記主レンズ部３０中に入射した光が出射する出射面３０１と、から構成されている。前記主レンズ部３０の前記入射面３００は、自由曲面あるいは複合２次曲面から構成されている。前記主レンズ部３０の前記出射面３０１は、前記半導体型光源２と反対側に突出した凸形状をなし、自由曲面あるいは複合２次曲面から構成されている。
【００２８】
（補助レンズ部３１の説明）
前記補助レンズ部３１は、図４、図５に示すように、前記主レンズ部３０の周辺この実施形態においては下辺（下側）に設けられている。この結果、前記半導体型光源２と、前記レンズ３の上部との間には、開口部（上部開口部）が形成されている。
【００２９】
前記補助レンズ部３１は、前記半導体型光源２から放射される光のうち、周辺光の他の一部Ｌ２を有効利用するものである。前記周辺光の他の一部Ｌ２は、前記周辺光のうち前記補助レンズ部３１に入射する光である。前記補助レンズ部３１は、この例では、前記周辺光の他の一部Ｌ２を全反射させる全反射タイプのレンズ部である。前記補助レンズ部３１は、前記主レンズ部３０と一体のものである。
【００３０】
前記補助レンズ部３１は、前記周辺光の他の一部Ｌ２を補助配光パターン、この実施形態においては、ロービーム用配光パターンＬＰの補助配光パターン、および、ハイビーム用配光パターンＨＰの補助配光パターン、として車両Ｃの前方に照射する。すなわち、前記補助レンズ部３１は、前記半導体型光源２から前記光制御部材４を透過した光（前記周辺光の他の一部Ｌ２）を前記ロービーム用配光パターンＬＰの補助配光パターンとして車両Ｃの前方に照射し、かつ、前記半導体型光源２からの直接入射した光（前記周辺光の他の一部Ｌ２）を前記ハイビーム用配光パターンＨＰの補助配光パターンとして車両Ｃの前方に照射する。
【００３１】
前記補助レンズ部３１は、前記周辺光の他の一部Ｌ２が前記補助レンズ部３１中に入射する入射面３１０と、前記入射面３１０から前記補助レンズ部３１中に入射した光が反射する反射面３１１と、前記反射面３１１で反射した反射光が前記補助レンズ部３１中から外部に出射する出射面３１２と、から構成されている。前記入射面３１０および前記反射面３１１および前記出射面３１２は、それぞれ自由曲面あるいは複合２次曲面から構成されている。
【００３２】
（光制御部材４の説明）
前記光制御部材４は、図７、図８に示すように、可変焦点レンズ部４０と、取付部４１と、ストッパ４４とを、備える。前記光制御部材４の前記可変焦点レンズ部４０および前記取付部４１および前記ストッパ４４は、一体構造をなす。前記光制御部材４は、前記レンズ３よりも前記半導体型光源２の近くに配置されている。
【００３３】
前記光制御部材４は、光透過部材、この例では、ＰＣ（ポリカーボネート）から構成されている。この結果、前記光制御部材４は、前記レンズ３と比較して、衝撃強さが大きく（図９参照）、耐熱性が高く、屈折率が高く、耐候性が低く、弾性が大きい（図９中の引張破壊ひずみ参照）。
【００３４】
前記可変焦点レンズ部４０は、中央側の部分に設けられている。前記取付部４１は、左右両側の部分に設けられている。前記ストッパ４４は、右側の前記取付部４１の上下から一体に設けられている。
【００３５】
左右両側の前記取付部４１には、回転孔４３が前記Ｘ軸方向にそれぞれ設けられている。左右両側の前記取付部４１は、前記回転孔４３および軸部７２を介して、前記軸受部材７に回転可能に取り付けられている。前記軸受部材７は、前記ベース部材８に位置決めされて取り付けられている。この結果、前記光制御部材４は、前記軸受部材７を介して前記ベース部材８に、第１位置と第２位置との間を回転可能に取り付けられている。前記光制御部材４の回転中心Ｏ１は、前記発光面２３の中心Ｏよりも、後側でかつ下側に位置する。
【００３６】
前記光制御部材４は、前記駆動部材５により前記第１位置と前記第２位置とに移動（回転）切替可能に構成されている。前記第１位置は、前記光制御部材４の下側の前記ストッパ４４が前記軸受部材７の下側のストッパ７３に当接していて、図４に示すように、前記可変焦点レンズ部４０が前記半導体型光源２の前記発光面２３と、前記補助レンズ部３１の前記入射面３１０との間に位置する位置である。前記第２位置は、前記光制御部材４の上側の前記ストッパ４４が前記軸受部材７の上側のストッパ７３に当接していて、図５に示すように、前記可変焦点レンズ部４０が前記半導体型光源２の前記発光面２３と、前記主レンズ部３０の前記入射面３００の前記中央光Ｌ１が入射する中央部との間に位置する位置である。前記光制御部材４が前記第２位置に位置するときには、図８に示すように、前記可変焦点レンズ部４０および左右両側の前記取付部４１は、前記Ｘ軸方向に並列する。
【００３７】
前記第１位置に位置する前記光制御部材４の前記可変焦点レンズ部４０と前記レンズ３の前記補助レンズ部３１とは、図４に示すように、一部（大部分）が上下において重なる。この結果、前記半導体型光源２と、前記レンズ３の下部および前記光制御部材４との間には、若干の開口部（下部開口部）が形成されている。
【００３８】
（可変焦点レンズ部４０の説明）
前記可変焦点レンズ部４０は、前記第１位置に位置するときには、図４に示すように、前記周辺光の他の一部Ｌ２を透過させて前記補助レンズ部３１中に入射させる。この結果、前記ロービーム用配光パターンＬＰの補助配光パターンが前記補助レンズ部３１の前記出射面３１２から車両Ｃの前方に照射される。
【００３９】
前記可変焦点レンズ部４０は、前記第２位置に位置するときには、図５に示すように、前記中央光Ｌ１を透過させて前記主レンズ部３０の中央部中に入射させる。この結果、前記ハイビーム用配光パターンＨＰの主配光パターンが前記主レンズ部３０の前記出射面３０１の中央部から車両Ｃの前方に照射される。
【００４０】
図１、図４、図５に示すように、前記可変焦点レンズ部４０の入射面４００は、前記可変焦点レンズ部４０の光軸（光出射軸）方向に、すなわち、前記半導体型光源２の前記発光面２３に対して前記可変焦点レンズ部４０の内側に凹形状をなす。前記可変焦点レンズ部４０の出射面４０１は、前記可変焦点レンズ部４０の光軸（光出射軸）方向に、すなわち、前記半導体型光源２の前記発光面２３に対して前記可変焦点レンズ部４０の外側に凸形状をなす。
【００４１】
前記可変焦点レンズ部４０は、前記補助レンズ部３１の焦点を変化させるものである。すなわち、前記第１位置に位置するときの前記補助レンズ部３１の焦点（疑似焦点）Ｆ１を、前記第２位置に位置するときの前記補助レンズ部３１の焦点Ｆに対して、上側かつ右側に変位させるものである。なお、前記疑似焦点Ｆ１の上側の変位は、図４に示すが、右側の変位は、図示しない。前記疑似焦点Ｆ１は、前記可変焦点レンズ部４０を通した前記補助レンズ部３１の疑似焦点である。
【００４２】
前記可変焦点レンズ部４０は、水平断面において、対向車線側この例では右側から走行車線側この例では左側にかけて徐々に前記入射面４００と前記出射面４０１との間の距離が近くなる。すなわち、前記可変焦点レンズ部４０の右側端部の前記入射面４００と前記出射面４０１との間の距離は長く、前記可変焦点レンズ部４０の左側端部の前記入射面４００と前記出射面４０１との間の距離は短い。
【００４３】
前記可変焦点レンズ部４０は、鉛直断面において、上側から下側にかけて徐々に前記入射面４００と前記出射面４０１との間の距離が近くなる。すなわち、前記可変焦点レンズ部４０の上側端部の前記入射面４００と前記出射面４０１との間の距離は長く、前記可変焦点レンズ部４０の下側端部の前記入射面４００と前記出射面４０１との間の距離は短い。なお、鉛直断面において、上側の前記入射面４００と前記出射面４０１との間の距離と、下側の前記入射面４００と前記出射面４０１との間の距離とは、変わらない場合がある。
【００４４】
前記光制御部材４の前記可変焦点レンズ部４０のうち、図４に示す前記第１位置に位置するときに、前記主レンズ部３０の前記基準光軸Ｚ側となる部分の焦点は、他の部分の焦点に対して下側に変位している。
【００４５】
（駆動部材５の説明）
前記駆動部材５は、図１、図２に示すように、前記光制御部材４を前記第１位置と前記第２位置とに移動（回転、回動）切替可能に位置させるものである。前記駆動部材５は、ソレノイド５０と、連結ピン５１と、スプリング５２と、から構成されている。
【００４６】
前記ソレノイド５０には、取付部５３が一体に設けられている。前記取付部５３は、位置決め孔および位置決めピンなどにより前記ベース部材８のベース取付部８２の背面側に位置決めされ、かつ、スクリューなどにより、前記ベース部材８の前記ベース取付部８２の背面側に取り付けられている。この結果、前記駆動部材５の前記ソレノイド５０は、前記ベース部材８に取り付けられている。前記ソレノイド５０は、進退ロッド５４を有する。
【００４７】
前記連結ピン５１の一端は、前記進退ロッド５４の先端に固定されている。前記連結ピン５１の他端は、前記光制御部材４の前記取付部４１に設けられている長孔４２中に挿入されている。この結果、前記ソレノイド５０の前記進退ロッド５４の進退運動が前記連結ピン５１および前記長孔４２を介して前記光制御部材４の回転運動に変換される。
【００４８】
前記スプリング５２は、前記軸受部材７に取り付けられている。前記スプリング５２の一端は、前記軸受部材７に弾性当接している。前記スプリング５２の他端は、前記光制御部材４に弾性当接している。この結果、通常時すなわち前記ソレノイド５０が非通電時においては、前記スプリング５２の力により、前記光制御部材４は、前記第１位置に位置する。前記ソレノイド５０に通電すると、前記スプリング５２の力に抗して前進位置に位置する前記進退ロッド５４が後退して、前記光制御部材４は、前記第１位置から前記第２位置に回転して前記第２位置に位置する。前記ソレノイド５０への通電を遮断すると、前記スプリング５２の力により、後退位置に位置する前記進退ロッド５４が前進して、前記光制御部材４は、前記第２位置から前記第１位置に回転して前記第１位置に位置する。
【００４９】
（レンズカバー部材６の説明）
前記レンズカバー部材６は、図１〜図３に示すように、前記レンズ３を覆う形状をなす。前記レンズカバー部材６は、たとえば、光不透過性の部材から構成されている。前記レンズカバー部材６の中央部には、前記半導体型光源２からの光を前記レンズ３の前記主レンズ部３０および前記補助レンズ部３１に通す開口部６０が設けられている。前記レンズカバー部材６の左右両端部には、取付部６１が一体に設けられている。前記取付部６１は、前記レンズ３の前記取付部３２と共に、位置決め孔および位置決めピンなどにより前記ベース部材８の前記レンズ取付部８１に位置決めされ、かつ、スクリューなどにより、前記ベース部材８の前記レンズ取付部８１に取り付けられている。この結果、前記レンズカバー部材６は、前記レンズ３と共に前記ベース部材８に取り付けられている。
【００５０】
（軸受部材７の説明）
前記軸受部材７は、図１、図２に示すように、前記半導体型光源２および前記ベース部材８の前記光源取付部８０を覆う形状をなす。前記軸受部材７は、たとえば、光不透過性の部材から構成されている。前記軸受部材７の中央部には、前記半導体型光源２からの光を前記レンズ３の前記主レンズ部３０および前記補助レンズ部３１、前記光制御部材４の前記可変焦点レンズ部４０に通す開口部７０が設けられている。前記軸受部材７の４角部には、取付部７１が一体に設けられている。前記取付部７１は、位置決め孔および位置決めピンなどにより前記ベース部材８の前記ベース取付部８２の正面側に位置決めされ、かつ、スクリューなどにより、前記ベース部材８の前記ベース取付部８２の正面側に取り付けられている。この結果、前記軸受部材７は、前記ベース部材８に取り付けられている。
【００５１】
前記軸受部材７の左右両側の中央部には、前記軸部７２がそれぞれ一体に設けられている。左右両側の前記軸部７２には、前記光制御部材４の左右両側の前記取付部４１の前記回転孔４３が、弾性嵌合（スナップフィット）により、回転可能に軸受されている。この結果、前記軸受部材７には、前記光制御部材４が前記第１位置と前記第２位置との間を回転可能に取り付けられている。
【００５２】
前記軸受部材７の右側の上下には、前記ストッパ７３がそれぞれ一体に設けられている。可動側の前記光制御部材４の下側の前記ストッパ４４が固定側の前記軸受部材７の下側の前記ストッパ７３に当接することにより、前記光制御部材４が前記軸受部材７に対して前記第１位置に位置する。可動側の前記光制御部材４の上側の前記ストッパ４４が固定側の前記軸受部材７の上側の前記ストッパ７３に当接することにより、前記光制御部材４が前記軸受部材７に対して前記第２位置に位置する。
【００５３】
（ベース部材８の説明）
前記ベース部材８は、図１〜図３に示すように、前記ベース取付部８２と、前記ベース取付部８２の正面側の中央部の前記光源取付部８０と、前記ベース取付部８２の正面側の左右両端部の前記レンズ取付部８１と、から構成されている。前記光源取付部８０には、前記半導体型光源２が取り付けられている。前記レンズ取付部８１には、前記レンズ３が前記レンズカバー部材６を介して取り付けられている。前記ベース取付部８２の正面側には、前記光制御部材４が前記第１位置と前記第２位置との間を回転可能に軸受されている前記軸受部材７が取り付けられている。前記ベース取付部８２の背面側には、前記駆動部材５および前記冷却部材９がそれぞれ取り付けられている。
【００５４】
（冷却部材９の説明）
前記冷却部材９は、図１、図２に示すように、冷却ファンを有する。前記冷却部材９は、前記ベース部材８の前記ベース取付部８２の背面側に位置決めされ、かつ、スクリューなどにより、前記ベース部材８の前記ベース取付部８２の背面側に取り付けられている。この結果、前記冷却部材９は、前記ベース部材８に取り付けられている。
【００５５】
（実施形態の作用の説明）
この実施形態にかかる車両用前照灯１は、以上のごとき構成からなり、以下、その作用について説明する。
【００５６】
通常時すなわちソレノイド５０が非通電時においては、スプリング５２のスプリング力により、進退ロッド５４が前進位置に位置していて、光制御部材４の下側のストッパ４４が軸受部材７の下側のストッパ７３に当接していて、光制御部材４が第１位置に位置する。このとき、光制御部材４の可変焦点レンズ部４０は、図４に示すように、半導体型光源２の発光面２３とレンズ３の補助レンズ部３１の入射面３１０との間に位置している。
【００５７】
この通常時において、半導体型光源２の発光チップ２０を点灯する。すると、発光チップ２０の発光面２３から放射される光のうち、半導体型光源２の中央光Ｌ１および周辺光の一部は、図４に示すように、直接、レンズ３の主レンズ部３０の入射面３００から主レンズ部３０中に入射する。このとき、入射光は、入射面３００において配光制御される。主レンズ部３０中に入射した入射光は、主レンズ部３０の出射面３０１から出射する。このとき、出射光は、出射面３０１において配光制御される。主レンズ部３０からの出射光は、下水平カットオフラインと、斜めカットオフラインと、上水平カットオフラインとを、有するロービーム用配光パターンＬＰの主配光パターンとして、車両Ｃの前方に照射される。
【００５８】
一方、発光チップ２０の発光面２３から放射される光のうち、半導体型光源２の周辺光の他の一部Ｌ２は、図４に示すように、光制御部材４の可変焦点レンズ部４０の入射面４００から可変焦点レンズ部４０中に入射する。このとき、入射光は、入射面４００において配光制御される。可変焦点レンズ部４０中に入射した入射光は、可変焦点レンズ部４０の出射面４０１から出射する。このとき、出射光は、出射面４０１において配光制御される。
【００５９】
可変焦点レンズ部４０からの出射光は、補助レンズ部３１の入射面３１０から補助レンズ部３１中に入射する。このとき、入射光は、入射面３１０において配光制御される。補助レンズ部３１中に入射した入射光は、補助レンズ部３１の反射面３１１で全反射する。このとき、反射光は、反射面３１１において配光制御される。全反射した反射光は、出射面３１２から出射する。このとき、出射光は、出射面３１２において配光制御される。補助レンズ部３１からの出射光は、ロービーム用配光パターンＬＰの補助配光パターンとして、車両Ｃの前方に照射される。
【００６０】
そして、前記の主配光パターンと、前記の補助配光パターンとが合成（重畳）されて、図６（Ａ）に示すロービーム用配光パターンＬＰが得られる。
【００６１】
それから、ソレノイド５０に通電する。すると、進退ロッド５４がスプリング５２のスプリング力に抗して後退して、光制御部材４が第１位置から第２位置に向かって回転して、光制御部材４の上側のストッパ４４が軸受部材７の上側のストッパ７３に当接した時点で、光制御部材４が第２位置に位置する。すなわち、今まで半導体型光源２と補助レンズ部３１との間に位置している光制御部材４は、図５に示すように、半導体型光源２の発光面２３とレンズ３の主レンズ部３０の入射面３００との間に位置する。
【００６２】
そして、発光チップ２０の発光面２３から放射される光のうち、半導体型光源２の中央光Ｌ１は、光制御部材４の可変焦点レンズ部４０の入射面４００から可変焦点レンズ部４０中に入射する。このとき、入射光は、入射面４００において配光制御される。可変焦点レンズ部４０中に入射した入射光は、可変焦点レンズ部４０の出射面４０１から出射する。このとき、出射光は、出射面４０１において配光制御される。
【００６３】
可変焦点レンズ部４０からの出射光は、主レンズ部３０の入射面３００から主レンズ部３０中に入射する。また、半導体型光源２の周辺光の一部は、直接、主レンズ部３０の入射面３００から主レンズ部３０中に入射する。このとき、入射光は、入射面３００において配光制御される。主レンズ部３０中に入射した入射光は、主レンズ部３０の出射面３０１から出射する。このとき、出射光は、出射面３０１において配光制御される。主レンズ部３０からの出射光は、ハイビーム用配光パターンＨＰの主配光パターンとして、車両Ｃの前方に照射される。
【００６４】
一方、発光チップ２０の発光面２３から放射される光のうち、半導体型光源２の周辺光の他の一部Ｌ２は、図５に示すように、直接、補助レンズ部３１の入射面３１０から補助レンズ部３１中に入射する。このとき、入射光は、入射面３１０において配光制御される。補助レンズ部３１中に入射した入射光は、補助レンズ部３１の反射面３１１で全反射する。このとき、反射光は、反射面３１１において配光制御される。全反射した反射光は、出射面３１２から出射する。このとき、出射光は、出射面３１２において配光制御される。補助レンズ部３１からの出射光は、ハイビーム用配光パターンＨＰの補助配光パターンとして、車両Ｃの前方に照射される。
【００６５】
そして、前記の主配光パターンと、前記の補助配光パターンとが合成（重畳）されて、図６（Ｂ）に示すハイビーム用配光パターンＨＰが得られる。
【００６６】
それから、ソレノイド５０への通電を遮断する。すると、進退ロッド５４がスプリング５２のスプリング力により前進して、光制御部材４が第２位置から第１位置に向かって回転して、光制御部材４の下側のストッパ４４が軸受部材７の下側のストッパ７３に当接した時点で、光制御部材４が第１位置に位置する。すなわち、今まで半導体型光源２と主レンズ部３０との間に位置していた光制御部材４は、半導体型光源２と補助レンズ部３１との間に位置する。
【００６７】
（実施形態の効果の説明）
この実施形態にかかる車両用前照灯１は、以上のごとき構成および作用からなり、以下、その効果について説明する。
【００６８】
この実施形態にかかる車両用前照灯１は、可動レンズとしての光制御部材４が、固定レンズとしてのレンズ３よりも、衝撃強さが大きい材料から構成されている。このために、可動側の光制御部材４の上下のストッパ４４が固定側の軸受部材７の上下のストッパ７３に当接するときの衝撃に対して、光制御部材４がレンズ３と比較して十分に耐えることができる。
【００６９】
この実施形態にかかる車両用前照灯１は、光制御部材４の下側のストッパ４４が軸受部材７の下側のストッパ７３に当接して、光制御部材４が第１位置に位置することにより、図６（Ａ）に示すロービーム用配光パターンＬＰが得られる。光制御部材４の上側のストッパ４４が軸受部材７の上側のストッパ７３に当接して、光制御部材４が第２位置に位置することにより、図６（Ｂ）に示すハイビーム用配光パターンＨＰが得られる。
【００７０】
この実施形態にかかる車両用前照灯１は、光制御部材４が、レンズ３と比較して、耐熱性が高い材料から構成されている。このために、光制御部材４をレンズ３よりも半導体型光源２の近くに配置することができる。また、この実施形態にかかる車両用前照灯１は、光制御部材４が、レンズ３と比較して、屈折率が高い材料から構成されている。このために、光制御部材４を薄くすることができる。これにより、光制御部材４の小型化・軽量化を図ることができる。この結果、光制御部材４を回転させる駆動部材５を、低出力で安価な部材を使用することができる。
【００７１】
この実施形態にかかる車両用前照灯１は、光制御部材４を小型化することができるので、可変焦点レンズ部４０のレンズ面の法線と半導体型光源２からの光の入射方向の角度が小さい。このために、光制御部材４を屈折率が高い材料から構成しても、屈折率が高いための分光の影響が軽微である。
【００７２】
この実施形態にかかる車両用前照灯１は、光制御部材４を耐候性がレンズ３よりも低い材料から構成して、光制御部材４をレンズ３よりも半導体型光源２の近くに、すなわち、レンズ３を光制御部材４より外側に、配置するものである。このために、耐候性がレンズ３よりも低い材料から構成されている光制御部材４が黄変しても、外側のレンズ３により、外部から光制御部材４を直接見えず、外観を損なうようなことがない。
【００７３】
この実施形態にかかる車両用前照灯１は、光制御部材４をレンズ３よりも弾性が大きい
材料から構成するものである。このために、光制御部材４の左右両側の取付部４１の回転孔４３を、軸受部材７の左右両側の軸部７２に、弾性嵌合（スナップフィット）により、回転可能に取り付けることができる。しかも、ストッパ４４と取付部４１とを一体構造とすることができるので、さらに、小型化・軽量化を図ることができる。
【００７４】
この実施形態にかかる車両用前照灯１は、光制御部材４の可変焦点レンズ部４０と取付部４１とが一体構造をなすので、光制御部材４全体の型化・軽量化を図ることができる。しかも、少なくとも可変焦点レンズ部４０を光透過部材として、取付部４１を不透過部材とすることができるので、可変焦点レンズ部４０以外の取付部４１から半導体型光源２からの光が漏れるのを防ぐことができる。
【００７５】
（実施形態以外の例の説明）
この実施形態においては、車両Ｃが左側通行の場合の車両用前照灯１について説明するものである。ところが、この発明においては、車両Ｃが右側通行の場合の車両用前照灯にも適用することができる。
【００７６】
また、この実施形態においては、レンズ３の主レンズ部３０と補助レンズ部３１とが一体である。ところが、この発明においては、レンズ３の主レンズ部３０と補助レンズ部３１とが別体のものであっても良い。
【００７７】
さらに、この実施形態においては、光制御部材４を第１位置と第２位置との間を回転させるものである。ところが、この発明においては、光制御部材４を第１位置と第２位置との間をスライドさせるものであっても良い。この場合においては、回転軸の代わりに、スライド手段を設ける。
【００７８】
さらにまた、この実施形態においては、駆動部材５としてソレノイド５０を使用するものである。ところが、この発明においては、駆動部材５としてソレノイド５０以外の部材、たとえば、モータなどを使用しても良い。この場合においては、モータと光制御部材４との間に駆動力伝達機構を設ける。
【００７９】
さらにまた、この実施形態においては、レンズ３の補助レンズ部３１が全反射タイプのレンズ部である。ところが、この発明においては、レンズ３の補助レンズ部が全反射タイプのレンズ部以外のレンズ部、たとえば、屈折タイプのレンズ部やフレネルタイプのレンズ部であっても良い。
【００８０】
さらにまた、この実施形態においては、光制御部材４としてＰＣを使用するものである。ところが、この発明においては、光制御部材４としてＰＣ以外のもの、たとえば、シリコーン樹脂などを使用しても良い。
【００８１】
さらにまた、この実施形態においては、レンズ３としてＰＭＭＡを使用するものである。ところが、この発明においては、レンズ３としてＰＭＭＡ以外のものなどを使用しても良い。
【００８２】
さらにまた、この実施形態においては、光制御部材４とレンズ３とをそれぞれ異なる材料を使用するものである。ところが、この発明においては、光制御部材４とレンズ３とを同じ材料であって、特性が異なるものを使用しても良い。
【符号の説明】
【００８３】
１  車両用前照灯
２  半導体型光源
２０  発光チップ
２１  基板
２２  コネクタ
２３  発光面
３  レンズ
３０  主レンズ部
３００  主レンズ部の入射面
３０１  主レンズ部の出射面
３１  補助レンズ部
３１０  補助レンズ部の入射面
３１１  補助レンズ部の反射面
３１２  補助レンズ部の出射面
３２  取付部
４  光制御部材
４０  可変焦点レンズ部
４００  入射面
４０１  出射面
４１  取付部
４２  長孔
４３  回転孔
４４  ストッパ
５  駆動部材
５０  ソレノイド
５１  連結ピン
５２  スプリング
５３  取付部
５４  進退ロッド
６  レンズカバー部材
６０  開口部
６１  取付部
７  軸受部材
７０  開口部
７１  取付部
７２  軸部
７３  ストッパ
８  ベース部材
８０  光源取付部
８１  レンズ取付部
８２  ベース取付部
９  冷却部材
Ｃ  車両
Ｆ  レンズの基準焦点
Ｆ１  疑似焦点
ＨＰ  ハイビーム用配光パターン
Ｌ１  中央光
Ｌ２  周辺光の他の一部
ＬＰ  ロービーム用配光パターン
Ｏ  発光面の中心
Ｏ１  回転中心
Ｘ  Ｘ軸
Ｙ  Ｙ軸
Ｚ  レンズの基準光軸（Ｚ軸）
【図１】
2014229353.tif 000003
【図２】
2014229353.tif 000004
【図３】
2014229353.tif 000005
【図４】
2014229353.tif 000006
【図５】
2014229353.tif 000007
【図６】
2014229353.tif 000008
【図７】
2014229353.tif 000009
【図８】
2014229353.tif 000010
【図９】
2014229353.tif 000011